(57)【特許請求の範囲】
【請求項１】
透明又は半透明基材に二段以上の偶数段組となるように複数の写真画像をコマ割り印刷し、当該コマ割り印刷は角に位置する一段目の角部を裏表紙エリアとし、その長尺方向に隣接しているコマを表表紙エリアとし、裏表紙エリアと表表紙エリアの間に総頁数に則した厚みに相当する幅を有した背表紙エリア部を形成するようになされており、前記透明又は半透明基材を短手方向中央で印刷面が内側になるように折り返し、当該折り返した内側に不透明の芯基材を挿入し、前記芯基材の両面に前記透明又は半透明基材の印刷面を貼着することによって原反を作成した後、前記偶数段組が二段の場合は前記裏表紙エリアが表側になるように短手方向中央で折り返した後前記写真画像のコマ割毎に長尺の前記原反を前記裏表紙エリアと反対側から蛇腹状に折り曲げ、または前記偶数段組が四段以上の場合は前記裏表紙エリアが表側になるよう短手方向中央で一段重折となるまで折り返した後前記写真画像のコマ割毎に長尺の前記原反を前記裏表紙エリアと反対側から蛇腹状に折り曲げ、その後、隣接する表表紙エリアと背表紙エリアと裏表紙エリアとで蛇腹状に折り曲げられた蛇腹部分を囲んだ後、当該蛇腹部分と前記背表紙エリアの当接箇所を貼着した後、蛇腹部分における貼着部と反対側の袋状箇所を切断することによって製本することを特徴とするフォトブックの製造方法。
【請求項２】
前記コマ割り印刷において、前記一段目の表表紙エリアの隣のコマに［２(n+1)−１］頁（ここで、ｎとは短手方向中央で折り返した数のことである。）のコマが印刷されることを特徴とする請求項１に記載のフォトブックの製造方法。
【請求項３】
前記写真画像が、透明又は半透明基材の片面に電子写真方式のプリンタによって印刷されることを特徴とする請求項１又は２記載のいずれか一に記載されたフォトブックの製造方法。
【請求項４】
前記透明基材がポリエステルによって形成されていることを特徴とする請求項１乃至３のいずれか一に記載されたフォトブックの製造方法。
【請求項５】
前記芯基材が、白色の非塗工印刷用紙であることを特徴とする請求項１乃至４のいずれか一に記載されたフォトブックの製造方法。
【発明の詳細な説明】
【技術分野】
【０００１】
本発明は、フォトブックの製造方法に関し、特に印刷面の耐久性と表面光沢性に優れたオンデマンドに適合したフォトブックの製造方法に関する。
【背景技術】
【０００２】
近年、店頭で迅速に印刷できる写真品質プリントや、デジタル化された写真情報をパソコン等でレイアウト編集し、高品位な大衆向けの写真集の如く製本することができるフォトブックという個人向け写真集製作サービスが進展している。
【０００３】
このようなフォトブックは、印刷用紙毎に間欠印刷をする印刷工程の後、頁合せを行う丁合工程の後、製本する仕上工程を経て製造されるものが多かった。
従来のフォトブックは、ゴムブランケットやロール状の版胴といった中間転写体を使用するため、発注にはある程度の部数が必要であったが、近年のプリンタ技術の進展によりコンピュータ等の情報処理装置からの指令によって、一冊からの個別注文に対しても高品位の大衆向けの写真集に近いものを製作することが可能となった。例えば、特許文献１には、フォトブックの作成方法が開示されている。
【０００４】
印刷用紙毎に間欠印刷する製造方法は、丁合工程で頁を揃えるのが難しいという問題があった。このような問題を解決するために、複数の写真画像が一連にプリントされた記録紙を蛇腹状に折り曲げて、写真画像のプリント面とは反対側の写真画像が形成されていない裏面側が露出しないように固定することで、本の各頁を捲っていく感覚で写真画像を閲覧できるフォトブックが開発されていた（特許文献２参照）。
また、上記蛇腹状のフォトブックは、折り返し部が膨らむことによって仕上がり具合に問題があったが、そのような問題を解決する技術も知られていた（特許文献３参照）。
現在の印刷業界においては、印刷の値段は長尺量に比例して課金されるため、連続印刷は製造コストが高騰するという問題点があった。
また印刷される基材にはある程度の硬度が要求されることから、原反ロールを使用しての印刷が困難であるという問題点も指摘されていた。
【０００５】
また現在の写真プリントは基材表面に直接印刷が施されているため、印刷面が光や気体に触れることによって時間が経つにつれて写真画像があせてしまい、また印刷面に擦り傷が生じたり、水等の液体をこぼすことによって印刷面が汚損し、写真画像が退色等によって劣化するという問題点があった。
【０００６】
また基材表面に直接印刷が施されているため、印刷面に光沢を付与するために表面平滑性の高い高品位用紙を用いなければならず、原紙の値段の高騰につれて製造価格が高騰するという問題があった。
さらにインクジェットを用いて印刷されている場合は、インクの付着していない箇所は基材の質感が露出すると共に、印刷面に凹凸が形成されるため表面平滑性に欠けるという問題があった。
【０００７】
このため、写真画像の退色等を防止するために、基材に印刷した後の写真面に保護液をオーバーコートする方法も用いられている。この方法は前述のフィルムによって覆う方法よりは製造コストを安くすることができるが、ローラーコーティングやグラビアコーティングに用いられる機械類を頻繁にメンテナンスする必要があり、またオーバーコートに用いられる薬品の臭気が製本後も残るといった問題点が指摘されていた。
【先行技術文献】
【特許文献】
【０００８】
【特許文献１】特開平９−４３８２７号公報
【特許文献２】特開２００６−２７１２１号公報
【特許文献３】特開２００７−２５３５７４号公報
【発明の概要】
【発明が解決しようとする課題】
【０００９】
本発明は、印刷される基材として高価格の高品位用紙を用いる必要がなく、全面に均一な光沢が得られる高品位の印刷面が得られると共に、表面保護性に優れることから長期に亘って高画質・高品位を持続させることができる高耐久の印刷面を有したフォトブックを提供することを目的とする。
【００１０】
またオンデマンドに適合し高品位の印刷面を有したフォトブックを従来よりも短時間で製造することができ、従来に比較して製造コストを低廉化することを目的とする。
さらに頁数に制限がなく、要求に応じた写真点数を掲載することができるフォトブックの製造方法を提供することを目的とする。
【課題を解決するための手段】
【００１１】
本発明は、上記課題を解決するために以下の構成を採用した。
（１）本発明は、長尺の透明又は半透明基材に二段以上の偶数段組となるように複数の写真画像をコマ割り印刷し、当該コマ割り印刷は角に位置する一段目の角部を裏表紙エリアとし、その長尺方向に隣接しているコマを表表紙エリアとし、裏表紙エリアと表表紙エリアの間に総頁数に則した厚みに相当する幅を有した背表紙エリア部を形成するようになされており、前記透明又は半透明基材を短手方向中央で印刷面が内側になるように折り返し、当該折り返した内側に不透明の芯基材を挿入し、前記芯基材の両面に前記透明又は半透明基材の印刷面を貼着することによって原反を作成した後、前記偶数段組が二段の場合は前記裏表紙エリアが表側になるように短手方向中央で折り返した後前記写真画像のコマ割毎に長尺の前記原反を前記裏表紙エリアと反対側から蛇腹状に折り曲げ、または前記偶数段組が四段以上の場合は前記裏表紙エリアが表側になるよう短手方向中央で一段重折となるまで折り返した後前記写真画像のコマ割毎に長尺の前記原反を前記裏表紙エリアと反対側から蛇腹状に折り曲げ、その後、隣接する表表紙エリアと背表紙エリアと裏表紙エリアとで蛇腹状に折り曲げられた蛇腹部分を囲んだ後、当該蛇腹部分と前記背表紙エリアの当接箇所を貼着した後、蛇腹部分における貼着部と反対側の袋状箇所を切断することによって製本することを特徴とするフォトブックの製造方法である。
ここで不透明の芯基材とは、ある程度強度を与えるのと、透明又は半透明基材に印刷された写真画像の裏移りを防止する機能を有するものである。
【００１２】
前記芯基材に両面ラミネート加工または片面ラミネート加工を施しても良い。両面ラミネート加工を施した場合は、透明又は半透明基材を谷折りした中に芯基材を挟みこむことができる。片面ラミネート加工を施した場合は、蛇腹折りする際に芯基材のラミネート面同士を張り合わせて頁を形成することができる。芯基材にラミネート加工を施さずに接着剤を使用しても良い。
【００１３】
芯基材に片面ラミネートを施す場合は、長尺の透明又は半透明基材に複数の写真画像をコマ割り印刷した後、不透明の芯基材と透明又は半透明基材の印刷面を貼着することによって原反を作成した後、前記写真画像のコマ割毎に長尺の前記原反を蛇腹状に折り曲げた後、芯基材の貼着面の対抗する裏側を背貼りした後、袋状箇所を切断することによって製本することができる。
【００１４】
ここで不透明の芯基材とは、ある程度強度を与えるのと、透明又は半透明基材に印刷された写真画像の裏移りを防止する機能を有するものである
上記製造方法でフォトブックのコンテンツ部分を製造し、表装を別部材によって形成して背貼りすることによってフォトブックを製造しても良い。
またコマ割り印刷とは、製本後に本として機能するように、上下左右、頁・連番等が一連に印刷された状態をいう。
【００１５】
ここで前記偶数段組が二段の場合は、原反の状態で長尺方向に原反を蛇腹状に折り曲げていく。折り曲げた後に頁を跨いで袋状（袋状箇所）となっている箇所を切断することによって製本することができる。
または前記偶数段組が四段の場合は、前記原反を更に短手方向中央で一回折り曲げる。その後、頁を跨いで袋状となっている箇所を切断することによって製本することができる。
またここでいう写真画像とは、写真が主体的に印刷されるものであれば、文字や記号等が含まれていても良い。またコマによっては写真のない画像（例えば、文字のみで構成されている。）も含まれる。
【００１６】
さらに前記偶数段組が六段の場合は、前記原反を短手方向中央で一回折り曲げた後、さらに短手方向中央で一回折り曲げることにより一段重折とすることができる。この状態で、頁を跨いで袋状となっている箇所を切断することによって製本することができる。
前記偶数段数が八段以上の場合は、前記原反を短手方向中央で一段重折となるまで折り返した後、頁を跨いで袋状となっている箇所を切断することによって製本することができる。ここで一段重折とは、コマ割りが長尺方向に連接されて表裏一段に現れた状態を示している。
上記製造方法によって作成されたフォトブックは、透明又は半透明基材の裏側に印刷面が形成されているため、印刷面が外気や紫外線等による影響を受けず、長期に亘って高画質・高品位を持続させることができる高耐久の印刷面を得ることができる。
さらに芯基材を両側から透明又は半透明基材で被覆することによって、芯基材の裏側からの気体の透過に対する耐候性を付与することができる。
【００１７】
（２）前記コマ割り印刷において、前記一段目の表表紙エリアの隣のコマに［２(n+1)−１］頁（ここで、ｎとは折り返した数のことである。）のコマが印刷されていることを特徴とする上記（１）に記載のフォトブックの製造方法である。
【００１８】
（３）前記写真画像が、透明又は半透明基材の片面に電子写真方式のプリンタによって印刷されていることを特徴とする上記（１）又は（２）記載のフォトブックの製造方法である。
（４）前記透明基材がポリエステルによって形成されていることを特徴とする上記（１）乃至（３）のいずれか一に記載されたフォトブックの製造方法。
（５）前記芯基材が、白色の非塗工印刷用紙であることを特徴とする上記（１）乃至（４）のいずれか一に記載されたフォトブックの製造方法である。
【発明の効果】
【００１９】
本発明は、印刷される基材として高価格の高品位用紙を用いる必要がなく、高画質で優れた光沢度を有し、表面保護性、耐水性、耐久性、耐候性、耐光性に優れた印刷面を有した写真プリントによるフォトブック等を提供するという効果を奏する。
【００２０】
またオンデマンドに適合し高品位の印刷面を有したフォトブックを従来よりも短時間で製造することができ、従来に比較して製造コストを大幅に低廉化する効果を奏する。
さらに頁数に制限がなく、要求に応じた写真点数を掲載することができるフォトブックの製造方法を提供するという効果を奏する。
【図面の簡単な説明】
【００２１】
【図１】フォトブックの製造方法における複数の写真画像をコマ割り印刷した一実施形態を示す平面概念図である。
【図２】フォトブックの製造に使用される原反の製造工程を説明するための部分斜視図である。
【図３】フォトブックの製造方法における複数の写真画像をコマ割り印刷した他の一実施形態を示す平面概念図である。
【図４】フォトブックの製造方法における複数の写真画像をコマ割り印刷した更に他の一実施形態を示す平面概念図である。
【図５】本発明に係るフォトブックの製造方法に使用される写真画像をコマ割り印刷した実施形態４を示す平面概念図である。
【図６】本発明に係る実施形態４における製造工程を説明するための斜視図である。
【図７】本実施形態に係る原反の製造工程の一例を説明するための斜視図である。
【図８】本実施形態に係る蛇腹折りの工程の一例を説明するための概念図である。
【発明を実施するための形態】
【００２２】
以下、本発明に係るフォトブックの製造方法についての一実施形態を示す。ただし、以下に示す実施形態は例示であって本発明を限定するものではない。
実施形態１
図１は、本発明に係るフォトブックの製造方法に使用される写真画像をコマ割り印刷した実施形態１を示す平面概念図である。
図１に示す如く、本実施形態１は長尺の透明基材１に複数の写真画像を二段にしてコマ割り印刷した点に特徴を有する。かかるコマ割印刷においては、角（図中、右上段）に位置するコマを裏表紙エリア（ＢＣ）とする。さらにその長尺方向に隣接しているコマを表表紙エリア（ＦＣ）としている。
前記裏表紙エリア（ＢＣ）と表表紙エリア（ＦＣ）の間には、総頁数の厚みに則した幅Ｗを有する背表紙エリア（ＢＢ）が形成されている。
さらに製本された状態における頁数に対応するコマを、図１に示す如く配置する。上段のコマには、１８０°反転させた画像が印刷される。また最終頁（ＬＰ）は、裏表紙エリア（ＢＣ）の下段に配置される。
【００２３】
ここで透明基材１としては、印刷及び熱によるフィルムの接着に好適な種々の材料を用いることができる。印刷面の反対側から印刷された写真画像を見ることができれば、透明基材の代わりに半透明基材を用いても良い。
例えば、セルロースエステル又はポリエステルが好適である。中でも印刷発色性に優れ、かつ高耐久性を有しているポリエステルが好適である。
またセルロースエステルとしては、セルローストリアセテート、セルロースアセテートプロピオネート、セルロースアセテートブチレート等が挙げられる。またポリエステルとしては、ポリエチレンテレフタレート（ＰＥＴ）、ポリアミド、ポリカーボネート、ポリイミド、ポリオレフィン、ポリエステル、ポリスルホンアミド等が挙げられる。中でも、本発明に用いられる透明フィルムとしては、反射率が高く光沢性に優れているポリエチレンテレフタレート（ＰＥＴ）が好適である。また仕上がりに応じて艶消しＰＥＴフィルム等を用いても良い。
【００２４】
前記透明基材としては、貼着力の増大、光沢性・画像品質の向上、擦り傷への耐性、色あせの防止、耐水性の向上、耐光性の向上などのために適宜保護層を形成しても良い。保護層を形成する材料としては、ポリエステル、ポリプロピレン、ポリスチレン、ポリスチレン−アクリル樹脂、ポリメタクリル酸メチル、ポリ酢酸ビニル、ポリオレフィン、ポリ（ビニルエチレンコアセテート）、ポリエチレンコアクリル樹脂、アモルファスポリプロピレン及びポリプロピレンの共重合体及びグラフト共重合体等が挙げられる。
【００２５】
本発明に係る写真画像は、透明基材１と後述する芯基材との貼着面側に印刷面が形成されている点に特徴を有する。かかる印刷面として反転画像を用いることもできる。
ここで前記印刷面は、プリンタ、オフセット印刷、グラビア印刷等を使用して印刷される。中でも本発明においては、オンデマンドに適合するためプリンタを使用するのが好適である。
【００２６】
プリンタとしては、熱転写方式、熱溶融形、昇華型、感熱式、放電破壊式、インクジェット方式、ドットインパクト方式、電子写真方式、活字プリンタ等を使用することができる。中でも耐久性の観点から電子写真方式のプリンタを使用するのが好適である。電子写真方式のプリンタとしては、タンデム方式、４サイクル方式のいずれを用いても良い。中でも精細な印刷面を得ることができる液体現像による電子写真方式のプリンタを用いるのが特に好ましい。例えば、ヒーレット・パッカード（ＨＰ）社製のIndigo press seriesを用いた印刷が挙げられる。
【００２７】
印刷に用いられるトナーとしては、静電潜像を顕像化させる帯電着色微粒子、カーボンブラックのような着色顔料、極性制御材、その他添加剤を樹脂に分散させて粉体トナー、絶縁性液体中に樹脂や極性制御材を着色顔料に吸着・分散させた液体トナー等が用いられる。中でも粒径が細かい液体トナーが好ましい。通常の粉体トナーは粒径５〜８μｍ程度であるのに対し、液体トナーは１〜２μｍ程度であり精細な印刷面を得ることができる。また液体トナーは、熱による定着プロセスを必要としないため、ＰＥＴ等の透明フィルムに熱による歪みが発生せず容易に転写及び定着が可能である。
【００２８】
本発明に使用されｒ芯基材としては、高品位の写真プリントとして現在使用されている種々の材料が用いられる。かかる材料については限定されないが、本発明の透明フィルムとの関係では、アート紙、コート紙、軽量コート紙、キャスト紙、微塗工紙等の塗工紙のみならず、非塗工印刷用紙を用いても良い。特に本発明は透明フィルム側に印刷面を有することから、アート紙、キャスト紙といった高価な塗工紙を用いずに製造コストを抑制することができるという技術的な特徴を有する。
【００２９】
非塗工印刷用紙とは、表面を顔料等でオーバーコートしていない印刷用の紙のことである。ただし、少量のデンプン等の薬品が塗布されているものは含まれる。化学パルプの使用割合により、上級印刷用紙、中級印刷用紙、更紙等の下級印刷用紙、インディア紙、薄葉紙等に分けられる。これらの用紙は比較的価格が廉価であるため最終的な製造コストを抑制することが可能である。
【００３０】
本発明は、印刷面を有する透明基材で芯基材の表面を被覆する点に特徴を有するため、基材における質感は表出しない点に特徴を有している。このため、基材に多少の色や柄が付着していても問題なく使用することができる。
また上級印刷用紙や中級印刷用紙を原紙とし、塗料をオーバーコートした塗工印刷用紙や、表面に塗布する塗料の量を加減した微塗工紙を用いても良い。
また色上質紙等の特殊印刷用紙や感熱紙、コピー用紙等の情報用紙を用いても良い。上記の原料としては、木材パルプ、合成紙又は古紙であっても良い。
更にポリエチレン（ＰＥ）、ポリエチレンテレフタレート（ＰＥＴ）、ポリプロピレン（ＰＰ）、ポリエステル、ポリカーボネート、セルロースセステル、ポリイミド、ポリ塩化ビニル、ポリビニルアセタール等の高分子フィルムを用いても良い。
【００３１】
次に本発明に係るフォトブックの製造方法に使用される原反の製造工程について説明する。図２は、透明基材に芯基材を挿入する工程を説明するための部分斜視図である。
図２に示す如く、上述の工程によって写真画像がコマ割り印刷された長尺の透明基材１を、短手方向中央（図１におけるＶＦ）で印刷面が内側になるように谷折りする。このようにして折り返された内側に不透明の芯基材２を挿入する。芯基材２を中央で折り返された透明基材１に挿入した後、適宜位置において前記芯基材２の両面に前記透明基材１の印刷面を貼着する。図２における第１頁等は、コマに印刷された写真画像を反転したものとなる。
このようにして製造された原反を、前記写真画像のコマ割毎に長尺の前記原反を蛇腹状に折り曲げた後、透明基材１が頁を跨って形成されている袋状箇所を切断することによってフォトブックを製造することができる。蛇腹状に折り曲げる工程や、袋状箇所の切断については、他の実施形態を用いて説明する。
【００３２】
本発明に係るフォトブックの製造方法を使用することによって、透明基材１と芯基材２とに写真画像面が挟まれることによって、写真画像を透明基材により紫外線、気体、擦れ傷から保護することができる。その結果、写真等の印刷された印刷面において長期に亘って高画質・高品位を持続することができる。
また、透明基材１の全面に印刷面を施すことによって、芯基材２の地色を隠すことができるため、芯基材２として高価格の高品位用紙を用いる必要がなく、フォトブックの製造価格を大幅に抑制することができる。
【００３３】
さらに透明基材１による光沢によって、写真画像全面に均一な光沢を施すことができ、グラビア写真集と殆ど変わらない高品位の印刷面を有するフォトブックを製造することができる。
また本発明に係る写真プリントは、顧客からの要求があり次第、すぐに製本できるものである。すなわち、写真・文字等の情報を印刷機に送信して透明基材１の片面にデジタル印刷を行うことができる。
デジタル印刷としては、電子写真方式のプリンタを使用するのが好適である。このようなプリンタは、中間転写体を個別に作成する必要がなく、オンデマンド用途に最も適したものだからである。
【００３４】
実施形態２
図３は、本発明に係るフォトブックの製造方法に使用される写真画像をコマ割り印刷した他の実施形態を示す平面概念図である。
図３に示す如く、本実施形態２は透明基材１１に複数の写真画像を四段にしてコマ割り印刷した点に特徴を有する。かかるコマ割印刷においては、角（図中、右上段）に位置するコマを裏表紙エリア（ＢＣ）とする。さらにその長手方向に隣接しているコマを表表紙エリア（ＦＣ）としている。
また前記裏表紙エリア（ＢＣ）と表表紙エリア（ＦＣ）の間には、総頁数の厚みに則した幅Ｗを有する背表紙エリア（ＢＢ）が形成されている。
さらに製本された状態における頁数に対応するコマを、図３に示す如く配置する。上段のコマには、１８０°反転させた画像が印刷される。また最終頁（ＬＰ）は、背表紙エリア（ＢＣ）の縦列の最下段に配置される。
【００３５】
ここで、前記一段目の表表紙エリア（ＦＣ）の隣のコマには、［２(n+1)−１］頁（ここで、ｎとは後述する折り返した数のことである。）のコマが印刷されるのが好ましい。表表紙エリア（ＦＣ）の隣に、このような値の頁を配置することによって、後述する折り返し工程と蛇腹工程によって、従来に比べて短時間で製造することができ、結果的に製造コストを低廉化することができる。
具体的には、実施形態２においては後述するように２回折り返されるので、ｎ＝２となることから、一段目の表表紙エリア（ＦＣ）の隣のコマには第７頁が１８０°回転して印刷されることになる。
【００３６】
次に上述の工程によって写真画像がコマ割り印刷された透明基材１１を、短手方向中央（図３におけるＶＦ１）で印刷面が内側になるように谷折りする。このようにして折り返された内側に図示しない不透明の芯基材を挿入する。芯基材を中央で折り返された透明基材１１に挿入した後、適宜位置において前記芯基材の両面に前記透明基材１１の印刷面を貼着する。
実施形態２においては、この状態で更に前記原反を短手方向中央（図３におけるＶＦ２、ＭＦ）で折り返し一段重折とする。その後、このようして製造された原反を前記写真画像のコマ割毎に長尺の前記原反を蛇腹状に折り曲げた後、袋状箇所を切断することによってフォトブックを製造することができる。蛇腹状に折り曲げる工程や、袋状箇所の切断については、他の実施形態を用いて説明する。
【００３７】
実施形態３
図４は、本発明に係るフォトブックの製造方法に使用される写真画像をコマ割り印刷した更に他の実施形態を示す平面概念図である。
図４に示す如く、本実施形態３は透明基材２１に複数の写真画像を八段にしてコマ割り印刷した点に特徴を有する。かかるコマ割印刷においては、角（図中、右上段）に位置するコマを裏表紙エリア（ＢＣ）とする。さらに当該裏表紙エリア（ＢＣ）に隣接しているコマを表表紙エリア（ＦＣ）としている。さらに製本された状態における頁数に対応するコマを、図４に示す如く配置する。
【００３８】
ここで、前記一段目の表表紙エリア（ＦＣ）の隣のコマには、［２(n+1)−１］頁（ここで、ｎとは後述する折り返した数のことである。）のコマが印刷されるのが好ましい。
具体的には、実施形態３においては後述の如く３回折り返されるので、ｎ＝３となることから、一段目の表表紙エリア（ＦＣ）の隣のコマには第１５頁が印刷されることになる。
次に上述の工程によって写真画像がコマ割り印刷された長尺の透明基材２１を、短手方向中央で印刷面が内側になるように折り返する。このようにして折り返された内側に図示しない不透明の芯基材を挿入する。芯基材を中央で折り返された透明基材２１に挿入した後、適宜位置において前記芯基材の両面に前記透明基材２１の印刷面を貼着する。
次にこの状態で更に前記原反を短手方向中央で折り返す。実施形態３においては、この状態で更に前記原反を短手方向中央で折り返し一段重折とする。その後、このようして製造された原反を前記写真画像のコマ割毎に長尺の前記原反を蛇腹状に折り曲げた後、袋状箇所を切断することによってフォトブックを製造することができる。蛇腹状に折り曲げる工程や、袋状箇所の切断については、他の実施形態を用いて説明する。
【００３９】
実施形態４
図５は、本発明に係るフォトブックの製造方法に使用される写真画像をコマ割り印刷した実施形態４を示す平面概念図である。
図５に示す如く、本実施形態４は長尺の透明基材３１に複数の写真画像を二段にしてコマ割り印刷した点に特徴を有する。この際、Indigo press（ＨＰ社製）にてジョブ単位で裏刷り印刷がなされる。かかるコマ割印刷においては、角（図中、右上段）に位置するコマを裏表紙エリア（ＢＣ）とする。さらにその長尺方向に隣接しているコマを表表紙エリア（ＦＣ）としている。
【００４０】
前記裏表紙エリア（ＢＣ）と表表紙エリア（ＦＣ）の間には、総頁数の厚みに則した幅を有する背表紙エリア（ＢＢ）が形成されている。
さらに製本された状態における頁数に対応するコマを、図５に示す如く配置する。上段のコマには、１８０°反転させた画像が印刷される。また最終頁は、裏表紙エリア（ＢＣ）の下段に配置される。
次に本発明に係るフォトブックの製造方法に使用される原反の製造工程について説明する。上述の工程によって写真画像がコマ割り印刷された長尺の透明基材３１を、短手方向中央（図５におけるＶＦ）で印刷面が内側になるように谷折りする。このようにして折り返された内側に不透明の芯基材を挿入する。芯基材を中央で折り返された透明基材３１に挿入した後、適宜位置において前記芯基材の両面に前記透明基材３１の印刷面を貼着する。
【００４１】
このようにして製造された原反を、図６に示す如く加工する。すなわち、表表紙エリア（ＦＣ）と裏表紙エリア（ＢＣ）とで蛇腹状に折り畳んだ部分を囲み、蛇腹部分の右側を背表紙エリア（ＢＢ）の内側に貼着する。裏表紙エリア（ＢＣ）の裏側は第２２頁となっており、第２１頁と相対するように製本される。図６に示す如くコマ割りが長尺方向に連接されて表裏一段に現れた状態、すなわち一段重折の状態となっている。
表表紙エリア（ＦＣ）の裏側は第１頁となっている。第１頁と相対する第２頁とは左側部が袋状に繋がっている。本実施形態４においては、同様の袋状箇所（Ｓ）が５箇所存在する。そこで、前記写真画像のコマ割毎に長尺の前記原反を蛇腹状に折り曲げた後、袋状箇所（Ｓ）を切断することによってフォトブックを製本することができる。
【００４２】
次に本実施形態４に使用される原反の製造装置について説明する。図７は、図６に示すフォトブックに使用される原反を製造できる縦型の原反製造装置の斜視図である。
予めコマ割の写真画像が印刷された透明基材を長尺方向に複数印刷することによってロール状に加工した基材ロールを用意する。当該基材ロールを原反製造装置に設置し、基材ロールＲ１から繰り出される複数の連結した透明基材３１は、ガイドロール４１にかけられてから図示しないサーボモータにより増減速駆動される基材繰り出しロール４２と回転自在なニップロール４３により牽引され、次いで、段差ロール４４に掛けられてからガイドロール４５，４６に掛けられる。段差ロール４４は、下流側からの透明基材３１の引き出しに対して繰り出し抵抗を軽くて一定に保つ機能を有している。基材繰り出しロール４２は、段差ロール４４が下限位置に下がると透明基材３１の繰り出し量を少なくし、又、上限位置に上がると透明基材３１の繰り出し量を多くするように調整する機能を有する。なお図７において、ガイドロール４６とロール４８との間において、透明基材３１における上側が写真画像の印刷面となっている。
【００４３】
次いで透明基材３１は、ガイドロール４９に掛けられてからフォーマー５０の襟部５１に掛けられる。ここで透明基材３１は短手方向中央で印刷面が内側になるように谷折り（センター折り）される。ここで芯基材ロールＲ２から繰り出される芯基材３２がガイド５２の内側を通って透明基材３１の谷折りされた内側へ繰り出し挿入される。ここで芯基材３２は、予め複数連接して加工されロール状となっているものを用いる。
透明基材３１は内側に芯基材３２を挟むようにして下降し、ヒートシール部５４にて透明基材３１における写真画像面と芯基材の表面とを熱圧着する。透明基材３１と芯基材３２との貼着は熱圧着以外の方法、例えば、透明基材３１と芯基材３２との間に接着剤を付着させる両面ラミネート、芯基材の片面にのみ接着剤を付着させる片面ラミネート、両面または片面を予め粘着加工された芯基材を用いる方法、等が挙げられる。
このようにして芯基材３２を内包した透明基材３１による原反を製造することができる。製造された原反は次の装置に設置するためにロール状に巻き取るのが好適である。
【００４４】
次に上記装置によって製造された長尺の前記原反を蛇腹状に折り曲げるための装置について説明する。図８は、図６に示すフォトブックに使用できる蛇腹折り装置の概念図である。図８に示す如く、上述の工程によって製造された原反を原反ロールＲ３からサーボ制御による送り出し装置６２によって繰り出される。繰り出された原反６０は、周知のアイマークセンサー６１によって間欠的に定寸送りを行う。ここでアイマークセンサー６１の代わりに寸法入力によって管理しても良い。次に原反６０は、罫線プレス部６３に供給される。罫線プレス部６３において、原反６０表面に送りと同期して罫線プレスを行う。ここで蛇腹折りにおける折ピッチを任意に指定する。またここで、一冊のフォトブックを形成するために適宜原反を切り離す工程を設けるのが好ましい。罫線プラスされた原反６０は、電動スライダー６４に支持された押板６５へ供給される。送りと同期して所定間隔で繰り出された原反６０は、折罫線を基準として折加工が施される。折加工が施された原反６０は、格納部６６へ収納し一度折ったものが戻らないように保持すると共に、型押しされ強固な折り目を形成する。その後、図６の如く綴じ部以外の袋状箇所を断裁してフォトブックを製造することができる。
【符号の説明】
【００４５】
１，１１，２１，３１  透明基材
２    芯基材
ＢＣ  裏表紙エリア
ＦＣ  表表紙エリア
ＢＢ  背表紙エリア
ＬＰ  最終頁
Ｓ    袋状箇所
【図１】
0005520072.tif 000002
【図２】
0005520072.tif 000003
【図３】
0005520072.tif 000004
【図４】
0005520072.tif 000005
【図５】
0005520072.tif 000006
【図６】
0005520072.tif 000007
【図７】
0005520072.tif 000008
【図８】
0005520072.tif 000009